(57)【要約】【課題】より適切なタイミングで補助電源からの電力供給が可能な画像形成装置及びその制御方法を提供する。【解決手段】シートに画像形成を行う画像形成部３００を備えた画像形成装置において、画像形成装置に電力を供給するための電源ユニット８７１と、電源ユニット８７１から供給された電力の蓄積を行うか、あるいは画像形成装置に蓄積された電力の供給を行う補助電源８７０と、ユーザからの画像形成指示を予告するジョブ予告情報を検知するコントローラ部ＣＰＵ８２１と、コントローラ部ＣＰＵ８２１がジョブ予告情報を検知した場合に、補助電源８７０からの電力の供給を開始するプリンタ部ＣＰＵ８４１とを備えたことを特徴とする画像形成装置。【選択図】図２
2008089972.tif 000002
【特許請求の範囲】
【請求項１】
記録媒体に画像形成を行う画像形成手段を備えた画像形成装置において、
画像形成装置に電力を供給するための第１の電力供給手段と、
前記第１の電力供給手段から供給された電力の蓄積を行うか、あるいは画像形成装置に蓄積された電力の供給を行う第２の電力供給手段と、
ユーザからの画像形成指示を予告するジョブ予告情報を検知するジョブ予告情報検知手段と、
前記ジョブ予告検知手段がジョブ予告情報を検知した場合に、前記第２の電力供給手段からの電力の供給を開始する制御手段とを備えたことを特徴とする画像形成装置。
【請求項２】
請求項１に記載の画像形成装置において、
前記制御手段が、前記ジョブ予告検知手段がジョブ予告情報を検知した後、予め定められた時間内にユーザからの画像形成指示がなかった場合に前記第２の電力供給手段からの電力の供給を停止することを特徴とする画像形成装置。
【請求項３】
請求項１又は２に記載の画像形成装置において、
前記第２の電力供給手段が、キャパシタからなることを特徴とする画像形成装置。
【請求項４】
請求項１乃至３のいずれかに記載の画像形成装置において、
ユーザが操作を行うための各種キーを配した操作手段を備え、
前記ジョブ予告情報が、前記操作手段の前記キーが押下されたことを含むことを特徴とする画像形成装置。
【請求項５】
請求項１乃至４のいずれかに記載の画像形成装置において、
原稿の画像を読み取るための画像読取手段と、
前記原稿を載置する原稿給紙台を有し、前記画像読取手段に対して開閉可能に配設される原稿給送手段とを備え、
前記第２の電力供給手段が、前記画像読取手段に電力を供給することを特徴とする画像形成装置。
【請求項６】
請求項５に記載の画像形成装置において、
前記ジョブ予告情報が、前記原稿給紙台に原稿が載置されたこと、及び前記原稿給送手段が開閉されたことを含むことを特徴とする画像形成装置。
【請求項７】
記録媒体に画像形成を行う画像形成手段と、画像形成装置に電力を供給するための第１の電力供給手段と、前記第１の電力供給手段から供給された電力の蓄積を行うか、あるいは画像形成装置に蓄積された電力の供給を行う第２の電力供給手段とを備えた画像形成装置の制御方法において、
ユーザからの画像形成指示を予告するジョブ予告情報を検知するジョブ予告情報検知ステップと、
前記ジョブ予告検知ステップにおいてジョブ予告情報が検知された場合に、前記第２の電力供給手段からの電力の供給を開始するステップとを含むことを特徴とする画像形成装置の制御方法。
【発明の詳細な説明】
【技術分野】
【０００１】
本発明は複写機、プリンタ等の画像形成装置及びその制御方法に関するものである。特に、補助電源を備えた画像形成装置及びその制御方法に関するものである。
【背景技術】
【０００２】
従来、補助電源を備えた画像形成装置としては、例えば、使用電力が所定の最大電力を超えたことを検出して、キャパシタ等の補助電源から電力を供給するものが知られている。あるいは、所定の最大電力を越えるような電力を必要とする定着器のウォームアップ制御を行うタイミングで補助電源からの電力の供給を開始するものが知られている。
【０００３】
その一例として、下記特許文献１では、装置の状態を検知する検知手段を備え、この検知手段により検知された状態に応じて、定着器に電力を供給する補助電源を充電モード又は放電モードに切り替えることを特徴とする画像形成装置が提案されている。
【特許文献１】特開２００２−２８０１４６号公報
【発明の開示】
【発明が解決しようとする課題】
【０００４】
しかしながら、従来例に係る画像形成装置においては、次のような問題があった。以下、図面を参照して従来例の定着器を画像読取部に置き換えて問題点を説明する。
【０００５】
図６は、従来例における電力供給タイミングチャートである。図６では、検知手段によって使用電力（主電源からの供給電力）が大きくなったことを検知してから、補助電源からの電力供給を行う場合を示している。
【０００６】
４００１は主電源（商用電源）からの供給電力の推移を示している。４００２は主電源の国内における標準的な最大電力である１５００Ｗを示している。４００３及び４００４は補助電源からの電力供給を行っているか否かを示し、４００３が供給していない状態（充電モード）、４００４が供給している状態（放電モード）を示す。４００５及び４００６は画像読取部の動作状態を示し、４００５が動作していない状態、４００６が動作している状態を示す。４００７は、画像読取部の動作開始タイミングである。
【０００７】
４００７のタイミングで画像読取部の動作が開始されると、その後主電源からの供給電力が測定され、電力が大きくなったことが検出された後に補助電源からの電力供給を開始している（４００４）。このように、主電源からの供給電力が大きくなったことが検出された後に補助電源からの電力供給を開始する場合、電気回路、電源特性、制御ソフトウェア等が原因となって、実際に電力供給が開始されるタイミングの遅延が生じる。そのため４００１ａに示すように主電源からの供給電力が最大電力を超え、最悪の場合はブレーカの遮断の発生等により周囲で使用される他の機器に電圧低下等の悪影響を及ぼすといった問題があった。
【０００８】
本発明は、係る状況下でなされたものであり、より適切なタイミングで補助電源からの電力供給が可能な画像形成装置及びその制御方法を提供することを目的とする。
【課題を解決するための手段】
【０００９】
本発明は上述した課題を解決するためになされたものであり、以下の構成を備える。
【００１０】
（１）記録媒体に画像形成を行う画像形成手段を備えた画像形成装置において、画像形成装置に電力を供給するための第１の電力供給手段と、前記第１の電力供給手段から供給された電力の蓄積を行うか、あるいは画像形成装置に蓄積された電力の供給を行う第２の電力供給手段と、ユーザからの画像形成指示を予告するジョブ予告情報を検知するジョブ予告情報検知手段と、前記ジョブ予告検知手段がジョブ予告情報を検知した場合に、前記第２の電力供給手段からの電力の供給を開始する制御手段とを備えたことを特徴とする画像形成装置。
【００１１】
（２）記録媒体に画像形成を行う画像形成手段と、画像形成装置に電力を供給するための第１の電力供給手段と、前記第１の電力供給手段から供給された電力の蓄積を行うか、あるいは画像形成装置に蓄積された電力の供給を行う第２の電力供給手段とを備えた画像形成装置の制御方法において、ユーザからの画像形成指示を予告するジョブ予告情報を検知するジョブ予告情報検知ステップと、前記ジョブ予告検知ステップにおいてジョブ予告情報が検知された場合に、前記第２の電力供給手段からの電力の供給を開始するステップとを含むことを特徴とする画像形成装置の制御方法。
【発明の効果】
【００１２】
本発明によれば、より適切なタイミングで補助電源からの電力供給が可能な画像形成装置及びその制御方法を提供することができる。
【発明を実施するための最良の形態】
【００１３】
本発明を実施するための最良の形態を、以下の実施例に基づいて説明する。
【００１４】
ただし、この実施例に記載されている構成部品の寸法、材質、形状、その相対配置等は、特に特定的な記載がない限りは、この発明の範囲をそれらのみに限定する趣旨のものではない。
【実施例１】
【００１５】
図１は、本実施例に係る画像形成装置の概略構成を示す断面図であり、同図を参照して本実施例に係る画像形成装置の構成と動作を説明する。
【００１６】
本実施例に係る画像形成装置１００は、原稿給送手段としての原稿給送部１０００、画像読取手段としての画像読取部２００、画像形成手段としての画像形成部３００、中継パス６００、後処理部５００を備えている。
【００１７】
上記構成をその動作と共に詳述すると、原稿給送部１０００は、原稿給紙台１００１にセットされた原稿を先頭頁から順に１枚ずつ、湾曲したパスを介してプラテンガラス１０２上を図中左から右へ向けて搬送する。その後、原稿を排紙トレイ１１２へ排出する。このとき画像読取部２００のリーダスキャナユニット１０４は所定の位置に保持された状態にあり、このリーダスキャナユニット１０４上を原稿が通過することにより、原稿の読み取りが行われる。原稿給送部１０００には不図示の原稿検知センサが配設され、該センサにより原稿給紙台１００１上の原稿の有無が検知される。
【００１８】
画像読取部２００において、原稿の通過時、リーダスキャナユニット１０４のランプ１０３の光が原稿に照射され、原稿からの反射光がミラー１０５、１０６、１０７、レンズ１０８を介してイメージセンサ１０９に導かれる。イメージセンサ１０９により読み取った原稿の画像は、画像処理が施されて画像形成部３００の画像露光部１１０へ送られる。
【００１９】
なお、原稿給送部１０００により原稿をプラテンガラス１０２上に搬送した後に原稿を停止させ、リーダスキャナユニット１０４を移動させることで原稿の読み取りを行うこともできる。また、原稿給送部１０００は不図示のヒンジ機構を介して、画像読取部２００に対して開閉可能に取り付けられている。そのため原稿給送部１０００を開状態として原稿をプラテンガラス１０２上に載置し、続いて原稿給送部１０００を閉状態としてリーダスキャナユニット１０４を移動させて原稿の読み取りを行うこともできる。原稿給送部１０００には原稿給送部１０００の開閉状態を検知するための不図示の開閉センサが配設されている。
【００２０】
画像形成部３００において、画像露光部１１０によって出力されたレーザ光は感光ドラム１１１に照射され、感光ドラム１１１上に静電潜像が形成される。感光ドラム１１１上の静電潜像は現像器１１３により現像される。感光ドラム１１１上の現像剤像は、感光ドラム１１１と転写ローラ１１６とが当接する転写部において、カセット１１４、１１５、手差し給紙部１２５、両面搬送パス１２４のいずれかから給送された記録媒体としてのシートに転写される。
【００２１】
現像剤像が転写されたシートは、定着部１１７で現像剤像の定着処理が施される。定着部１１７を通過したシートは、フラッパ１２１により排出ローラ１１８へ導かれる。これにより、現像剤像が定着した面が下向きの状態（フェイスダウン）で画像形成部３００から排出される。なお、シートの両面に画像形成する場合には、フラッパ１２１を切り替えて、シートを定着部１１７から反転パス１２２へ導き、シートの後端が反転ポイント１２３を抜けた直後にシートをスイッチバックし、両面搬送パス１２４へ導く。
【００２２】
排出ローラ１１８から排出されたシートは、中継パス６００へ送り込まれる。中継パス６００において、シートは中継パスローラ６０１により搬送されて中継パス６００から、後処理部５００へ送り込まれる。後処理部５００ではシフト処理、綴じ処理、穴あけ、製本等の後処理が行われ、トレー１７０１に排出される。
【００２３】
次に、本実施例に係る画像形成装置の制御機構について説明する。
【００２４】
図２は本実施例に係る画像形成装置の制御機構を示すブロック図である。同図において、リーダ部８００は、原稿給送部１０００、画像読取部２００の制御を行う処理部であり、主に原稿の給装と画像の読み取り動作を制御する処理部である。８０１は、リーダ部８００全体の制御を行う中央演算処理装置（以下ＣＰＵと記す）である。８０２は、原稿給送部１０００、画像読取部２００の制御手順（制御プログラム）を記憶した読み取り専用メモリ（以下ＲＯＭと記す）である。ＣＰＵ８０１は、このＲＯＭ８０２に記憶された制御手順にしたがって原稿給送部１０００、画像読取部２００の各構成を制御する。
【００２５】
８０３は、入力データの記憶や作業用記憶領域等として用いる主記憶装置であるところのランダムアクセスメモリ（以下ＲＡＭと記す）である。８０５は、モータ等の負荷に対するＣＰＵ８０１の制御信号を出力し、またセンサ等からの信号を入力してＣＰＵ８０１に送る入出力ＩＣ（以下Ｉ／Ｏと記す）である。原稿給送部１０００の開閉検知及び原稿給紙台１００１上の原稿の有無検知もこのＩ／Ｏで行っている。原稿給送部１０００の開閉を検知した場合、あるいは原稿給紙台１００１上の原稿を検知した場合は、Ｉ／Ｏ８０５からその信号がＣＰＵ８０１に送られる。そしてＣＰＵ８０１から後述するコントローラ部ＣＰＵ８２１に対してシリアル通信を用いて状態が通知される。画像処理部８０６は、イメージセンサ１０９で読み取った画像データに対してシェーディング補正等を行い、補正後の画像データを後述するコントローラ部８２０へ伝送する制御を行う。
【００２６】
コントローラ部８２０は、リーダ部８００と後述するプリンタ部８４０に指示を出しながら画像形成装置１００の全体的な制御を行う処理部である。８２１は、画像形成装置１００全体の制御を行うＣＰＵであり、８２２は、画像形成装置１００の制御手順（制御プログラム）を記憶したＲＯＭである。ＣＰＵ８２１はこのＲＯＭ８２２に記憶された制御手順にしたがって画像形成装置１００の各構成を制御する。８２３は、入力データの記憶や作業用記憶領域等として用いるＲＡＭである。
【００２７】
ＣＰＵ８２１は、バス及び適当なＩ／Ｏ（不図示）を介して後述する操作部８６０からの入力を受け入れ、さらに操作部８６０に表示させる必要な情報を送り出す。またジョブ予告情報検知手段としてのＣＰＵ８２１は、例えばリーダ部ＣＰＵ８０１から原稿給送部１０００の開閉状態変化の通知を受け取ると、ユーザがこれから画像形成指示を行うものと予測し、後述のプリンタ部ＣＰＵ８４１に画像形成準備要求を通知する。ユーザがこれから画像形成指示を行うと予測できるジョブ予告情報としては、原稿給送部１０００の開閉状態の変化の通知の他に、原稿給紙台１００１上の原稿の有無の通知、後述する操作部８６０のキー操作等が含まれる。
【００２８】
ＳＲＡＭ８２４は調整値、プリントトータル枚数等、主電源が切れた後であっても保持しなければならないデータを保持するためのＲＡＭであり、不図示の電池が接続されており内容をバックアップする。画像処理部８２５は、リーダ部８００又はホストコンピュータ等の不図示の外部装置から伝送されてきた画像データを処理する処理部であり、変倍、画像データの圧縮、解凍等の処理を行う。また後述するプリンタ部８４０に画像形成する画像データの伝送を行う。
【００２９】
プリンタ部８４０は、画像形成部３００及び中継パス６００の制御を行う処理部であり、主に画像形成部３００及び中継パス６００における搬送制御、高圧制御、定着制御、レーザ制御等を行う。８４１は、プリンタ部８４０全体の制御を行うＣＰＵであり、８４３は、画像形成部３００及び中継パス６００の制御手順（制御プログラム）を記憶したＲＯＭである。ＣＰＵ８４１は、このＲＯＭ８４３に記憶された制御手順にしたがって画像形成部３００及び中継パス６００の各構成を制御する。また、制御手段としてのＣＰＵ８４１は、ＣＰＵ８２１から画像形成準備要求を受け取ると、後述する補助電源に対して電力供給の開始を指示する。さらにＣＰＵ８４１は、後述する補助電源からの電力供給時間をカウントする時間カウンタを有する。
【００３０】
８４４は、入力データの記憶や作業用記憶領域等として用いるＲＡＭである。Ｉ／Ｏ８４５は、クラッチ、ソレノイド等の負荷に対するＣＰＵ８４１の制御信号を出力し、またセンサ等からの信号を入力してＣＰＵ８４１に送る入出力ＩＣである。
【００３１】
高圧制御部８４７は、感光ドラム１１１を帯電させるための一次帯電出力、現像剤を感光ドラム１１１上に移動させるための現像バイアス出力、シートに現像剤像を転写させるための転写電流出力等を出力するための制御部である。高圧制御部８４７は、ＣＰＵ８４１に指示された出力レベルに応じた出力を行う。一次帯電は、不図示の非接触ワイヤーを用いたコロナ帯電方式によって行われる。ワイヤーは汚れを清掃するためのクリーナを備え、またこのクリーナは加振装置を備え、Ｉ／Ｏ８４５からの指示によりクリーナを加振することが可能である。また、一次帯電及び転写出力の電流を測定する入力部を備え、入力部で測定した電流値はＣＰＵ８４１に通知され、出力補正に使用される。本実施例においては、一次帯電の電流測定はシート１０００枚通紙毎に行われ、転写電流の測定は１１００枚通紙毎に行われる。
【００３２】
８４６は、ＣＰＵ８４１と信号線で接続された一般的なシリアル入出力を備えたＥＥＰＲＯＭであり、ＣＰＵ８４１からシリアルコマンドで指示のあったデータの読み出し及び書き込みを行う。露光制御部８４８は、コントローラ部８２０の画像処理部８２５から受信した画像データを基に、感光ドラム１１１に静電潜像を生成する制御を行う。また露光制御部８４８は、不図示のポリゴンミラーを回転させるためのスキャナモータ８４９を駆動する。画像露光部１１０には、ポリゴンミラーに照射されたレーザビームが感光ドラム１１１の表面を走査するように不図示のレーザ発光素子が配置され、画像データに応じたレーザビームの出力を行うことで感光ドラム１１１上に静電潜像が形成される。
【００３３】
モータ制御部８５０は、画像形成部３００及び中継パス６００の各ローラを駆動するパルスモータを駆動するための制御回路であり、ＣＰＵ８４１からの指示により指定されたスピードでモータを駆動する。またＣＰＵ８４１の指示により、パルス出力間隔を縮めてモータを加速させ、シート搬送速度を加速させることを可能としている。本実施例では、通常時の搬送速度１３７ｍｍ／Ｓと、加速時の搬送速度３４２ｍｍ／Ｓとを設定可能としている。
【００３４】
続いて、電源制御部について説明する。
【００３５】
電源制御部において、８７１は主電源（商用電源）から入力された交流電力を直流電力に変換する第１の電力供給手段としての電源ユニットである。また８７０はキャパシタ等の第２の電力供給手段としての補助電源である。
【００３６】
電源ユニット８７１は、プリンタ部８４０、コントローラ部８２０、リーダ部８００、及び補助電源８７０への給電を行う。補助電源８７０は、電源ユニット８７１から供給された電力を蓄積する回路を備え、電源ユニット８７１から供給される電力を充電するとともに、プリンタ部８４０のＣＰＵ８４１からの指示により、リーダ部８００への電力供給の開始と停止を行う。補助電源８７０からリーダ部８００へ電力を供給している間は、プリンタ部８４０で使用できる電力を増加させることが可能となる。なお、本実施例においては、補助電源８７０からの電力の供給先をリーダ部８００（画像読取部２００）としたが、特にこれに限定されない。
【００３７】
ここで例えば、リーダ部８００で最大２００Ｗ使用し、プリンタ部８４０で最大１４００Ｗ使用する場合において、同時に動作を行うと合計で１６００Ｗとなり、主電源から出力できる最大電力の１５００Ｗを超えてしまう。そこで補助電源８７０を使用しない場合は、プリンタ部８４０の使用電力を低下させて最大１３００Ｗとなるように制御を行っていた。しかしながら、上記構成によれば、補助電源８７０によりリーダ部８００へ電力を供給している間は、プリンタ部８４０で最大の１４００Ｗを使用しても最大電力の１５００Ｗを超えることはない。
【００３８】
次に、操作部について説明する。
【００３９】
図２の操作部８６０は、画像形成装置１００に設けられた操作パネルの制御を行う処理部であり、コントローラ部８２０のＣＰＵ８２１に操作パネルからの入力情報を送信し、後述する液晶表示部に表示する情報をＣＰＵ８２１より受信する。
【００４０】
図３は画像形成装置１００に設けられた操作手段としての操作パネル６０の構成を示す概略図である。図３において、４００は、複写開始を指示するコピースタートキーである。４０１は標準モードに戻すためのリセットキーである。４０２は、ガイダンス機能を使用するときに押下するガイダンスキーである。４０３は、設定枚数等の数値を入力するテンキーである。４０４は、数値をクリアするクリアキーである。４０５は、連続コピー中にコピーを停止させるストップキーである。４０６は、ステープルモード、製本モードあるいは両面プリント設定等の各種モードの設定や画像形成装置の状態を表示するタッチパネル兼液晶表示部である。４０７は、連続コピー中あるいはファックスやプリンタとして使用中に、割り込んで緊急コピーを取るための割り込みキーである。４０８は、例えば個人別あるいは部門別にコピー枚数を管理するための暗証キーである。４０９は、画像形成装置本体の電源をＯＮ／ＯＦＦするためのソフトスイッチである。４１０は、画像形成装置の機能を変更するときに使用する機能キーである。４１１は、オートカセットチェンジのＯＮ／ＯＦＦや省エネモードに入るまでの設定時間の変更等、予めユーザが項目を設定するユーザモードに入るためのユーザモードキーである。操作部８６０は、ＣＰＵ８２１が前記キー入力の状態を検知可能なようにＣＰＵ８２１の入力ポートに接続されている。
【００４１】
続いて、図４及び図５を用いて、本実施例に係る画像形成装置の補助電源制御動作手順を説明する。図４は、本実施例に係る画像形成装置の補助電源制御動作フローチャートである。
【００４２】
ステップＳ１０００において、まず初期化のために補助電源８７０をＯＦＦにして、時間カウンタＴｗを０にする。続いて補助電源８７０の状態に応じて、補助電源８７０がＯＮ状態であればステップＳ１００５へ進み、ＯＦＦ状態であればステップＳ１００２へ進む（ステップＳ１００１）。補助電源８７０がＯＦＦ状態の場合には、ジョブ予告情報の有無を判断する（ステップＳ１００２）。そして、ジョブ予告情報が検知されたら、補助電源８７０をＯＮにする（ステップＳ１００３）。また、時間カウンタＴｗによるカウントを開始し（ステップＳ１００４）、画像形成ジョブがスタートされたか否かを判断する（ステップＳ１００７）。
【００４３】
画像形成ジョブがスタートされなかった場合にはステップＳ１００１に戻る。ステップＳ１００２においてジョブ予告情報が検知されなかった場合には、補助電源８７０をＯＮにすることなく同様に画像形成ジョブがスタートされたか判断する（ステップＳ１００７）。この場合、当然に画像形成ジョブのスタートはないため、ステップＳ１００１に戻る。
【００４４】
ステップＳ１００１において、補助電源８７０がＯＮ状態の場合には、時間カウンタＴｗのカウント値が予め定められた最大時間Ｔｍａｘを越えていないか判断する（ステップＳ１００５）。本実施例においてはＴｍａｘを１０秒とする。時間カウンタＴｗのカウント値がＴｍａｘより大きい場合には、補助電源８７０をＯＦＦにする（ステップＳ１００６）。
【００４５】
ステップＳ１００７において、画像形成ジョブがスタートされた場合には、リーダ部８００が動作しているか否かを判断する（ステップＳ１００８）。リーダ部８００が動作している場合には、補助電源８７０をＯＮのままとする（ステップＳ１００９）。リーダ部８００が動作していない場合には、補助電源８７０をＯＦＦにし（ステップＳ１０１０）、動作を終了する。
【００４６】
図５は本実施例における電力供給タイミングチャートであり、前述の補助電源制御を行った場合の電力の推移を示したものである。
【００４７】
補助電源出力ＯＮ／ＯＦＦは、キャパシタ等の補助電源に対し、電力の供給を指示する信号である。ジョブ予告情報が検知されるとＯＮとなる。そして補助電源出力がＯＮになると補助電源８７０からリーダ部８００への給電が開始される。
【００４８】
本実施例においては、リーダ部８００が動作する前に、補助電源８７０からリーダ部８００への電力の供給が開始される。そのため、商用電源から供給される電力を示す「主電源供給電力」の値は、リーダ部８００の動作後において、最大電力を超えることはない。
【００４９】
以上述べたように本実施例に係る画像形成装置によれば、補助電源のＯＮ／ＯＦＦ切換の時間的遅延によって商標電源からの供給電力量が瞬間的に増大することを防ぐことができる。そしてこれにより、ブレーカの遮断等の可能性を低減し、周囲で使用される他の機器への悪影響を防ぐことが可能となる。
【図面の簡単な説明】
【００５０】
【図１】実施例１に係る画像形成装置の概略構成を示す断面図
【図２】実施例１に係る画像形成装置の制御機構を示すブロック図
【図３】実施例１に係る画像形成装置の操作パネルの構成を示す概略図
【図４】実施例１に係る画像形成装置の補助電源制御動作フローチャート
【図５】実施例１における電力供給タイミングチャート
【図６】従来例における電力供給タイミングチャート
【符号の説明】
【００５１】
６０  操作パネル（操作手段に対応）
２００  画像読取部（画像読取手段に対応）
３００  画像形成部（画像形成手段に対応）
８２１  ＣＰＵ（ジョブ予告情報検知手段に対応）
８４１  ＣＰＵ（制御手段に対応）
８７０  補助電源（第２の電力供給手段に対応）
８７１  電源ユニット（第１の電力供給手段に対応）
１０００  原稿給送部（原稿給送手段に対応）
【図１】
2008089972.tif 000003
【図２】
2008089972.tif 000004
【図３】
2008089972.tif 000005
【図４】
2008089972.tif 000006
【図５】
2008089972.tif 000007
【図６】
2008089972.tif 000008